(57)【要約】【課題】仮設足場や建造物に梯子を立て掛けて昇降する場合に、梯子が前後左右にぐらついたり、スリップしたりしないように、左右の支柱をバランス良くしっかりと固定し、かつ十分な踏み幅が確保される万能型梯子固定具を提供する。【解決手段】仮設足場又は建造物に立て掛けた梯子の前後左右の動きを規制する規制部材を備え、該規制部材を該梯子の支柱相互間に配置して該梯子を着脱自在に固定することを特徴とする。そして、規制部材は、支柱の対向面それぞれに当接して梯子の左右の動きを規制する左右規制部材と、左右規制部材に係合され、支柱それぞれを掛止して梯子の前後の動きを規制する前後規制部材と、を備え、左右規制部材を螺子又は所定の把持具を用いて仮設足場又は建造物に着脱自在に固定することができる。【選択図】図１
2011026844.tif 000002
【特許請求の範囲】
【請求項１】
仮設足場又は建造物に立て掛けた梯子の前後左右の動きを規制する規制部材を備え、該規制部材を該梯子の支柱相互間に着脱自在に配置して該梯子を固定することを特徴とする万能型梯子固定具。
【請求項２】
前記規制部材は、前記支柱の対向面それぞれに当接して前記梯子の左右の動きを規制する左右規制部材と、前記左右規制部材に係合され、前記支柱それぞれを掛止して前記梯子の前後の動きを規制する前後規制部材と、を備え、前記左右規制部材を螺子又は所定の把持具を用いて前記仮設足場又は前記建造物に着脱自在に固定することを特徴とする請求項１記載の万能型梯子固定具。
【請求項３】
前記左右規制部材は、前記支柱の対向面の一方に当接する当接面、及び前記仮設足場又は前記建造物に固定する、該当接面に垂直な固定面を有する一対の主部材と、前記当接面を向い合せにして重ね合わせた前記固定面相互を摺動自在に継合する一対の継合部材とを備えたことを特徴とする請求項２記載の万能型梯子固定具。
【請求項４】
前記主部材それぞれは、前記固定面の長手方向に延びる長溝穴と、該長溝穴の延長線上に配置された小孔とを有するものであって、
前記左右規制部材は、前記主部材のうちの一方の前記小孔と、他方の前記長溝穴とを重ね合わせ、前記継合部材により該主部材相互を摺動自在に継合することにより形成されることを特徴とする請求項３記載の万能型梯子固定具。
【請求項５】
前記前後規制部材は、前記当接面の裏側に複数位置で係合する係合面、及び該係合面に垂直な、前記支柱を掛止する掛止面を有する一対の副部材と、前記当接面の裏側に所定位置で係合した前記係合面を、該位置で固定する固定部材とを備えたことを特徴とする請求項３記載の万能型梯子固定具。
【請求項６】
前記主部材は、前記固定面に、前記長溝穴を挟んで前記小孔と反対側に、前記仮設足場を把持する把持具を螺着する螺子穴を有することを特徴とする請求項４記載の万能型梯子固定具。
【請求項７】
前記主部材は、前記当接面の裏側の面に所定の螺子が固定されたものであり、
前記副部材は、前記係合面に、前記主部材の前記螺子が自在に通過する階段溝穴を有するものであって、該階段溝穴を通過した該螺子に前記固定部材を螺合することにより前記主部材に固定されることを特徴とする請求項５記載の万能型梯子固定具。
【請求項８】
前記主部材は、前記当接面の裏側の面に所定の螺子が固定されたものであり、
前記副部材は、前記係合面に、前記主部材の前記螺子が自在に貫通する複数の孔を有するものであって、該複数の孔の何れかを貫通した該螺子に前記固定部材を螺合することにより前記主部材に固定されることを特徴とする請求項５記載の万能型梯子固定具。
【請求項９】
前記把持具は、前記主部材の前記固定面を前記建造物の平面部と共に挟持する挟持部材と、該固定面を該平面部に押圧する押圧部材とを有することを特徴とする請求項３記載の万能型梯子固定具。
【請求項１０】
前記把持具は、前記主部材の前記螺子穴に螺着された、前記仮設足場を把持するクランプであることを特徴とする請求項６記載の万能型梯子固定具。
【請求項１１】
前記当接面及び前記掛止面は、弾性部材が貼着されたものであることを請求項５記載の万能型梯子固定具。
【発明の詳細な説明】
【技術分野】
【０００１】
本発明は、仮設足場や建造物に立て掛けた梯子をその仮設足場や建造物に着脱自在に固定する万能型梯子固定具に関するものである。
【背景技術】
【０００２】
建築・土木作業現場などにおいては、仮設足場の横桟や建造物などに梯子を立て掛けて、その梯子を昇降することが多い。仮設足場は、一般的にパイプなどが用いられるので、立て掛けた梯子が滑りやすく、固定手段を用いて滑落転倒防止を図る必要がある。また、建造物の平面部に梯子を立て掛けて昇降する場合も、工具や資材を高所に運ぶ際に、梯子がぐらつくとバランスを崩し転落する危険があるので、梯子を固定手段でしっかりと固定する必要がある。
仮設足場に固定する手段としては、例えば、コ字型の掛け止め金具と掛け止め金具の開口部を閉塞するＣ字状のロック片とを備え、梯子の支柱に取り付ける仮設足場用掛止金具や、仮設足場をボルトで締めつけて保持する保持具を連結棒で支柱の保持具に繋ぐ構造の梯子固定取付金具が提案されている（特許文献１、特許文献２参照）。また、建造物に簡易に固定する手段としては、例えば、吸磁力を利用して梯子の上部を金属屋根等に固定するもの（特許文献３、特許文献４参照）や、ロープやベルトなどで梯子と建造物とを結合し固定するもの（特許文献５、特許文献６参照）が提案されている。
【先行技術文献】
【特許文献】
【０００３】
【特許文献１】特開平９−３２４５３０号公報
【特許文献２】特開２００３−１８４４６７号公報
【特許文献３】特許第２８６９６３６号公報
【特許文献４】特開２００１−１２１７７号公報
【特許文献５】特許第３９９５６６９号公報
【特許文献６】特開２０００−２１３２６５号公報
【発明の概要】
【発明が解決しようとする課題】
【０００４】
しかしながら、固定手段を支柱に直接取り付けるのでは、梯子の用途が特定されてしまう。また、連結棒を介して仮設足場保持具をボルトなどで着脱自在に支柱に取り付ける方法は、左右のバランスを保ち難く、確実性に欠け、磁石の吸磁力を利用して建造物に固定する方法は、床や梁、壁面などには適用できない。さらに、ロープやベルトなどで建造物と梯子とを結束して固定する方法は、取り付けや携行には便利であるが、ロープやベルトを踏桟に取り付けるのでは十分な踏み幅を確保できないうえ、踏桟に手をかけて重量物を運搬する場合には梯子がぐらつく恐れがある。
本発明は、上記事情に鑑み、仮設足場や建造物（木造・鉄骨構造など）に梯子を立て掛けて昇降する場合に、梯子が前後左右にぐらついたり、スリップしたりしないように、左右の支柱をバランス良くしっかりと固定し、かつ十分な踏み幅が確保される万能型梯子固定具を提供することを目的とする。
【課題を解決するための手段】
【０００５】
本発明の万能型梯子固定具は、仮設足場又は建造物に立て掛けた梯子の前後左右の動きを規制する規制部材を備え、該規制部材を該梯子の支柱相互間に着脱自在に配置して該梯子を固定することを特徴とする。
このように、梯子の支柱相互間に、梯子の前後左右の動きを規制する規制部材を着脱自在に配置して固定すれば、梯子の昇降りに何らの支障もなく、梯子を確実に固定することができる。
また、上記規制部材は、上記支柱の対向面それぞれに当接して上記梯子の左右の動きを規制する左右規制部材と、上記左右規制部材に係合され、上記支柱それぞれを掛止して上記梯子の前後の動きを規制する前後規制部材と、を備え、上記左右規制部材を螺子又は所定の把持具を用いて上記仮設足場又は上記建造物に着脱自在に固定することができる。
このように、上記規制部材を左右規制部材と前後規制部材とで構成すれば、左右規制部材を螺子又は所定の把持具を用いて、仮設足場や建造物のさまざまな場所に、着脱自在にバランスよく固定し、安全に昇降作業ができる。
【０００６】
また上記左右規制部材は、上記支柱の対向面の一方に当接する当接面、及び上記仮設足場又は上記建造物に固定する、該当接面に垂直な固定面を有する一対の主部材と、上記当接面を向い合せにして重ね合わせた上記固定面相互を摺動自在に継合する一対の継合部材とを備えることにしても、あるいは上記主部材それぞれは、上記固定面の長手方向に延びる長溝穴と、該長溝穴の延長線上に配置された小孔とを有するものであって、上記左右規制部材は、上記主部材のうちの一方の上記小孔と、他方の上記長溝穴とを重ね合わせ、上記継合部材により該主部材相互を摺動自在に継合して形成されたものであってもよい。
このように、左右規制部材を一対の主部材で摺動自在に構成すれば、踏み幅の異なるさまざまな梯子の左右のぐらつきを確実に抑制することができる。
さらに、上記前後規制部材は、上記当接面の裏側に複数位置で係合する係合面、及び該係合面に垂直な、上記支柱を掛止する掛止面を有する一対の副部材と、上記当接面の裏側に所定位置で係合した上記係合面を、該位置で固定する固定部材とを備えることが好ましい。
このように、前後規制部材を一対の副部材で構成し、主部材に複数位置で係合するようにすれば、様々な梯子の支柱を掛止することができる。
そして、上記主部材は、上記当接面の裏側の面に所定の螺子が固定されたものであり、上記副部材は、上記係合面に、上記主部材の上記螺子が自在に通過する階段溝穴を有するものであって、該階段溝穴を通過した該螺子に上記固定部材を螺合することにより上記主部材に固定されることも、上記主部材は、上記当接面の裏側の面に所定の螺子が固定されたものであり、上記副部材は、上記係合面に、上記主部材の上記螺子が自在に貫通する複数の孔を有するものであって、該複数の孔の何れかを貫通した該螺子に上記固定部材を螺合することにより上記主部材に固定されることも好ましい。
このように、副部材が主部材に係合する係合面に階段溝穴を作ったり、複数孔を作ったりして螺子で固定すれば、サイズの異なるさまざまな梯子の前後の動きを確実に抑制することができる。
【０００７】
また、上記把持具は、上記主部材の上記固定面を上記建造物の平面部と共に挟持する挟持部材と、該固定面を該平面部に押圧する押圧部材とを有することも好ましく、上記把持具は、上記主部材の上記螺子穴に螺着された、上記仮設足場を把持するクランプであることも好ましい。
このような把持具を用いて左右規制部材を固定すれば、木造家屋のみならず、鉄パイプを使った仮設足場やＨ型鋼で骨格を作った建造物であっても確実に梯子を固定することができる。
さらに、主部材の当接面や、副部材の掛止面に弾性部材が貼着されていれば、支柱との摩擦を緩和することができる。
【発明の効果】
【０００８】
本発明の万能型梯子固定具は、梯子の上部又は下部を螺子等で木造建造物に確実に固定できるうえ、パイプ用クランプなどの把持具を用いれば、鉄パイプを用いた仮設足場やＨ型鋼などの骨材に梯子の上部又は下部をしっかりと固定できる。また、梯子の昇降には影響を与えないように支柱相互間に配置して、支柱の対向面や支柱の外側の面に当接、又は掛止めして、梯子の前後左右の動きを規制するので、十分な踏み込み幅が確保され、かつ重量物を運搬するため踏桟に手を掛けても梯子がぐらついたり、スリップしたりすることがない。さらに、梯子のサイズや立て掛ける角度に応じて支柱の対向面に当接する部材相互の間隔を調整することや、支柱の外面に掛止める部材の長さや角度を調整することができるので、踏み幅が異なる梯子や接地部付近が広がっている梯子などにも適用することができる。
【図面の簡単な説明】
【０００９】
【図１】図１は、第1の実施形態の万能型梯子固定具を示す正面図である。
【図２】図２は、第1の実施形態の万能型梯子固定具を示す平面図である。
【図３】図３は、左右規制部材の主部材を示す平面図である。
【図４】図４は、左右規制部材の主部材の正面図（部分）である。
【図５】図５は、左右規制部材の主部材の内側面である。
【図６】図６は、前後規制部材の副部材の正面図である。
【図７】前後規制部材の副部材の側面図である。
【図８】固定部材の側面図である。
【図９】図９は、本実施形態の万能型梯子固定具を用いて梯子を木造の家屋の床面に固定する場合の例を示す正面図である。
【図１０】図１０は、本実施形態の万能型梯子固定具を用いて梯子を木造の家屋の床面に固定する場合の例を示す平面図である。
【図１１】図１１は、本実施形態の万能型梯子固定具をＨ型鋼に固定する場合の例を示す図である。
【図１２】図１２は、本実施形態の万能型梯子固定具にパイプ用クランプを螺着して仮設足場に固定する場合の例を示す図である。
【図１３】図１３は、第２の実施形態の前後規制部材を示す側面図である。
【図１４】図１４は、第２の実施形態の前後規制部材を示す正面図である。
【図１５】図１５は、左右規制部材との係合状態を示す図である。
【発明を実施するための形態】
【００１０】
以下に、本発明の梯子固定具の第１の実施形態について説明する。
［第１の実施形態］
図１及び図２は、第1の実施形態の万能型梯子固定具を示す図であり、図１は、正面図、図２は、平面図を示す。
図１及び図２に示すように、本実施形態の万能型梯子固定具１は、梯子の左右の動きを規制する左右規制部材１０と、その左右規制部材１０に係合され、梯子の前後の動きを規制する前後規制部材２０と、を備えている。そして、左右規制部材１０は、矩形の金属板をＬ字型に形成してなる一対の主部材１１と、主部材相互を摺動自在に継ぎ合わせるリベット（本発明の継合部材に相当する。）１２と、により構成される。また、前後規制部材２０は、矩形の金属板をＬ字型に形成してなる一対の副部材２１と、副部材を主部材に固定する雌螺子（本発明の固定部材に相当する。）２２と、により構成される。
【００１１】
図３から図５は、左右規制部材の主部材を示す図であり、図３は、一対の主部材の平面図、図４は、主部材の正面図（部分）、図５は、主部材の内側面を示す。
図３から図５に示すように、一対の主部材１１それぞれは、梯子の支柱の対向面の一方に当接する当接面１５と、当接面１５に垂直な、仮設足場又は建造物に固定される固定面１６とを有する。そして、当接面１５には、支柱の対向面と接触したときの摩擦を緩和するためにゴム板（本発明の弾性部材に相当する。）１７が貼着されている。また当接面１５の裏側、すなわちゴム板１７が貼着されていない面の中央上部には、雌螺子１３が溶接又は接着されて固定されている。固定面１６には、長手方向に延びる長溝穴１８と、主部材１１相互を継ぎ合わせるリベット１２が挿入される小孔１９とが設けられ、長溝穴１８を挟んで小孔１９と反対側に、仮設足場の横桟を把持するクランプ（本発明の一把持具に相当する。）を螺着する螺子穴１４が設けられている。
リベット１２の径は、長溝穴１８よりも小径であるうえ、小孔１９は長溝穴１８の延長線上に設けてあるので、一方の主部材１１の小孔１９と、他方の主部材１１の長溝穴１８とを重ね合わせて、主部材１１相互をリベット１２で継合した左右規制部材１０は、主部材１１相互が自在に摺動する。
ここで、本実施形態の当接面１５の、固定面１６と突合する辺の反対側の辺１５ａは、梯子を立て掛ける角度に合わせて、斜めにカットされているが、辺１５ａは、必ずしも斜めにカットする必要はない。また、本実施形態の固定面１６には、中央に一條の長溝穴１８を設けているが、長溝穴１８は、必ずしも一条である必要はなく、長手方向の両側端に二條設けてもよい。
【００１２】
図６から図８は、前後規制部材を示す図であり、図６は、副部材の正面図、図７は、副部材の側面図、図８は、固定部材の側面図を示す。
図６から図８に示すように、副部材２１は、主部材当接面１５の裏側の面に係合する係合面２５と、その係合面２５に垂直な、支柱を掛止する掛止面２６とにより構成される。そして、掛止面２６には、支柱と接触したときの摩擦を緩和するためにゴム板１７が貼着されている。一方、係合面２５には、主部材１１の当接面裏側に固定された雌螺子１３が自在に通過する階段溝穴２７があり、その階段溝穴２７は、中央縦に一直線に設けられた縦溝穴２７ａと、その縦溝穴２７ａに連なり、左右交互に横に設けられた横溝穴２７ｂとがある。
この階段溝穴２７の何れかの位置に当接面１５裏側の雌螺子１３を係止し、雄螺子２２をその雌螺子１３にねじ込むことにより、係合面２５を当接面１５の裏側に螺着することができる。その結果、副部材２１を主部材１１に固定することができる。このとき、当接面１５の裏側に螺着される係合面２５の位置と角度を調整することにより、支柱を副部材２１の掛止面２６で掛止することができる。
ここで、本実施形態の係合面２５の、掛止面２６と突合する辺２５ａは、梯子を立て掛ける角度に合わせて、斜めにカットされているが、辺２５ａは、必ずしも斜めにカットする必要はない。また、本実施形態の階段溝穴２７は、縦溝穴２７ａと横溝穴２７ｂとにより構成されているが、階段溝穴２７は、必ずしもこの構成に限定する必要はない。
【００１３】
図９及び図１０は、本実施形態の万能型梯子固定具を用いて梯子を木造の家屋の床面に固定する場合の例を示す図であり、図９は、正面図、図１０は、平面図である。
図９及び図１０に示すように、本実施形態の万能型梯子固定具１は、左右規制部材１０と前後規制部材２０とからなる。左右規制部材１０は、梯子の支柱３０の対向面３０ａの一方に当接する当接面１５と、当接面１５に垂直な、仮設足場又は建造物に固定される、長溝穴１８のある固定面１６とを備えた一対の主部材１１と、主部材１１相互を摺動自在に継ぎ合わせるリベット１２と、により構成され、当接面にゴム板１７が貼着されている。
また前後規制部材２０は主部材の当接面の裏側に係合する係合面２５（図にあらわれない）と、その係合面２５に垂直な、支柱を掛止する掛止面２６（図にあらわれない）とを備えた一対の副部材２１と、副部材２１を主部材１１の当接面裏側に固定する雌螺子２２と、により構成され、掛止面２６にゴム板１７が貼着されている。
本実施形態の万能型梯子固定具１を用いて梯子を木造家屋の床面に固定する場合には、例えば、左右規制部材１０の主部材１１を摺動させて、左右の当接面１５それぞれを梯子の支柱３０の対向面３０ａそれぞれに当接させる。そして、固定面１６にある長溝穴１８の少なくとも２か所に、木螺子５をねじ込んで左右規制部材１０を床面４０に固定する。次に、それぞれの雄螺子２２を緩めて、主部材１１の当接面１５裏側の雌螺子１３に螺着された左右係合面２５の螺着位置と角度を調整する。そして支柱が掛止面２６によって掛止される螺着位置と角度で、雄螺子を締め、左右係合面２５を固定する。
ここでは、本実施形態の万能方梯子固定具１で梯子の上部を床面４０に固定する場合について説明したが、梁や壁面に固定する場合も、また、梯子の下部を固定する場合も、これと同様に行うことができる。ただし、梯子の下端が地面又はコンクリートなどに接する場合には、梯子の下端付近に角材を渡し、その角材を建造物に固定する一方、その角材に本実施形態の万能型梯子固定具１を固定することにすれば、梯子をしっかりと固定することができる。
【００１４】
図１１は、本実施形態の万能型梯子固定具をＨ型鋼に固定する場合の例を示す図であり、図１２は、本実施形態の万能型梯子固定具にパイプ用クランプを螺着して仮設足場に固定する場合の例を示す図である。
図１１に示す万能型梯子固定具１は、図２のＡ−Ａ’面をＨ型鋼に固定する場合の例である。図１１に示すように、Ｈ型鋼４１に万能型梯子固定具１を載置し、挟持部材６ａとビス（本発明の押圧部材に相当する。）６ｂとからなる把持具６を用いて、主部材１１の固定面１６とＨ型鋼４１の平面部４１ａとを挟持部材６ａで挟み、ビス６ｂで主部材１１を押圧することにより、万能型梯子固定具１をＨ型鋼４１に確実に固定することができる。
ここでは、建造物の平面部がＨ型鋼の場合について説明したが、建造物の平面部はＨ型鋼に限定する必要はなく、床面などにも適用される。
【００１５】
図１２に示す万能型梯子固定具は、図２のＢ−Ｂ’面を仮設足場用鉄パイプに固定する場合の例である。図１２に示すように、主部材の固定面１６に設けた螺子穴１４にパイプ用クランプ７を螺子で固定する。そして、そのパイプ用クランプ７で仮設足場用鉄パイプ４２を保持することにより、万能型梯子固定具１を仮設足場用鉄パイプ４２に確実に固定することができる。
ここでは、仮設足場の係合部材として、パイプ用クランプの例を説明したが、係合部材は、パイプ用クランプに限定されない。
本実施形態の万能型梯子固定具１において、主部材１１は、厚さ２ｍｍ乃至３ｍｍ程度のＳＵＳ板を直角に折り曲げて形成し、副部材２１は、厚さ２ｍｍ乃至３ｍｍ程度のＳＵＳ板を斜めに、あるいは直角に折り曲げて形成しているが、必ずしもこれに限る必要はなく、アルミ板を折り曲げてＬ字型に形成しても、鉄板を溶接してＬ字型に形成してもよいし、強化プラスチックを成形してＬ字型に形成してもよい。
主部材１１の当接面１５、及び副部材２１の掛止面２６に貼着されるゴム板１７は、厚さ３ｍｍ乃至５ｍｍ程度のものを使用しているが、弾性部材は、必ずしもゴム板に限る必要はなく、ウレタン樹脂を使用してもよい。また、踏み幅が３００ｍｍの梯子を固定する万能型梯子固定具１は、例えば主部材１１の固定面１６の長さは２８５ｍｍ、長溝穴１８の長さは２２０ｍｍ程度であればよく、この寸法に設定された万能型梯子固定具１は、左右規制部材１０を最大に延ばせば、５００ｍｍ程度の踏み幅の梯子まで適用することができる。従って、５００ｍｍ以上、７００ｍｍ程度の踏み幅の梯子に適用するには、主部材１１の固定面１６の長さ３８０ｍｍ、長溝穴の長さ３１５ｍｍ程度の万能型梯子固定具１を準備すればよい。
そして、副部材２１の係合面２５の階段溝穴２７を左右に複数段設ければ、掛止面２６によって支柱が掛止される高さを任意に設定することができ、かつ係合面２５を係止する角度も自由に設定できるので、鉄パイプを用いた仮設足場、木造建築、鉄骨を用いたＡＬＣ建築など、土木・建築現場で使用されるさまざまなサイズの梯子に適用することができる。
【００１６】
［第２の実施形態］
次に、本発明の第２の実施形態の万能型梯子固定具について説明する。第２の実施形態の万能型梯子固定具は、第１の実施形態に比べて、前後規制部材は相違するが、それ以外は共通する。したがって、相違する前後規制部材について説明する。
図１３から図１５は、第２の実施形態の前後規制部材を示す図であり、図１３は、側面図、図１４は、正面図、図１５は、左右規制部材との係合状態を示す図である。
図１３及び図１４に示すように、本実施形態の前後規制部材２０は、矩形の金属板又は金属棒、あるいは強化プラスチックをＬ字型に形成してなる一対の副部材２１と、副部材２１を主部材１１に固定する押さえ板２８及び雄螺子（本発明の固定部材に相当する。）２２と、により構成される。副部材２１は、主部材１１に係合する係合面２５と、その係合面２５に垂直な、支柱を掛止する掛止面２６とを有する。副部材２１の係合面２５には、主部材１１の当接面の裏側に固定された雌螺子１３が貫通する複数の孔２５ａが設けてある。
図１５に示すように、副部材２１の掛止面２６で支柱が掛止できる係合面２５の孔２５ａの位置を選択し、選択した孔２５ａに雌螺子１３を係合させ、押さえ板２８を介して、雄螺子２２のついた摘み螺子を螺合する。
本実施形態の主部材１１の当接面１５及び副部材２１の係合面２５は、梯子を立て掛ける角度に合わせて、斜めにカットされていないが、斜めにカットしてもよい。また、本実施形態の係合面２５には、複数の孔２５ａが縦一列に設けてあるが、孔２５ａは、必ずしも縦一列である必要はなく、ジグザグに設けてもよい。
【符号の説明】
【００１７】
１  万能型梯子固定具
５  木螺子
６  把持具
６ａ  挟持部材
６ｂ  ビス
７    パイプ用クランプ
１０  左右規制部材
１１  主部材
１２  リベット
１３  雌螺子
１４  螺子穴
１５  当接面
１６  固定面
１７  ゴム板
１８  長溝穴
１９  小孔
２０  前後規制部材
２１  副部材
２２  雄螺子
２５  係合面
２５ａ  孔
２６  掛止面
２８  押さえ板    
３０  支柱  
３０ａ  対向面
４０  床面
４１  Ｈ型鋼
４１ａ  平面部
４２  仮設足場用鉄パイプ
【図１】
2011026844.tif 000003
【図２】
2011026844.tif 000004
【図３】
2011026844.tif 000005
【図４】
2011026844.tif 000006
【図５】
2011026844.tif 000007
【図６】
2011026844.tif 000008
【図７】
2011026844.tif 000009
【図８】
2011026844.tif 000010
【図９】
2011026844.tif 000011
【図１０】
2011026844.tif 000012
【図１１】
2011026844.tif 000013
【図１２】
2011026844.tif 000014
【図１３】
2011026844.tif 000015
【図１４】
2011026844.tif 000016
【図１５】
2011026844.tif 000017
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
仮設足場又は建造物に立て掛けた梯子の支柱相互間に着脱自在に配置して該梯子を固定する万能型梯子固定具であって、
前記支柱の対向面の一方に当接する当接面、及び前記仮設足場又は前記建造物に固定する、該当接面に垂直な固定面を具備する一対の主部材、並びに該当接面を向い合せにして重ね合わせた該固定面相互を摺動自在に継合する一対の継合部材を有し、該当接面それぞれを該支柱の対向面それぞれに当接して前記梯子の左右の動きを規制する左右規制部材と、
前記当接面の裏側に複数位置で係合する係合面、及び該係合面に垂直な、前記支柱を掛止する掛止面を具備する一対の副部材、並びに該当接面の裏側に所定位置で係合した前記係合面を、該位置で固定する固定部材を有し、該支柱それぞれを掛止して前記梯子の前後の動きを規制する前後規制部材と、を備え、
前記左右規制部材を螺子又は所定の把持具を用いて前記仮設足場又は前記建造物に固定することを特徴とする万能型梯子固定具。
【請求項２】
前記主部材は、前記当接面の裏側の面に所定の螺子が固定されたものであり、
前記副部材は、前記係合面に、前記主部材の前記螺子が自在に貫通する複数の孔を有するものであって、該複数の孔の何れかを貫通した該螺子に前記固定部材を螺合することにより前記主部材に固定されることを特徴とする請求項１記載の万能型梯子固定具。
【請求項３】
前記主部材は、前記当接面の裏側の面に所定の螺子が固定されたものであり、
前記副部材は、前記係合面に、前記主部材の前記螺子が自在に通過する階段溝穴を有するものであって、該階段溝穴を通過した該螺子に前記固定部材を螺合することにより前記主部材に固定されることを特徴とする請求項１記載の万能型梯子固定具。
【請求項４】
前記当接面及び前記掛止面は、弾性部材が貼着されたものであることを請求項１記載の万能型梯子固定具。
【請求項５】
前記把持具は、前記主部材の前記螺子穴に螺着された、前記仮設足場を把持するクランプであることを特徴とする請求項１記載の万能型梯子固定具。
【請求項６】
前記把持具は、前記主部材の前記固定面を前記建造物の平面部と共に挟持する挟持部材と、該固定面を該平面部に押圧する押圧部材とを有することを特徴とする請求項１記載の万能型梯子固定具。
【請求項７】
前記主部材それぞれは、前記固定面の長手方向に延びる長溝穴と、該長溝穴の延長線上に配置された小孔と、該長溝穴を挟んで該小孔と反対側に、前記仮設足場を把持する把持具を螺着する螺子穴とを有するものであって、
前記左右規制部材は、前記主部材のうちの一方の前記小孔と、他方の前記長溝穴とを重ね合わせ、前記継合部材により該主部材相互を摺動自在に継合することにより形成されることを特徴とする請求項１記載の万能型梯子固定具。